(57)【要約】【課題】  収容部に挿入された想定外の対象物を、特別な治具を用いることなく容易に排出することができる排出機構を備えたコネクタを提供すること。【解決手段】  コネクタ１０は、ハウジング３０と、複数の端子４０と、排出部材５０とを備える。ハウジング３０は、前端３０２において開口する収容部１２を有する。端子４０はハウジング３０に保持され、その接点４２は収容部１２内に位置する。排出部材５０は、ハウジング３０の所定位置に保持される。排出部材５０は、引掛け部５１０を有している。排出部材５０が所定位置にあるとき、引掛け部５１０は収容部１２の後ろ側に位置している。排出部材５０は、所定位置から前方へ移動可能である。収容部１２に第１対象物とは外形の異なる第２対象物が挿入された際、排出部材５０を前方へ移動させると、引掛け部５１０が第２対象物を前方へ押し、第２対象物を収容部１２の外へ排出する。【選択図】図１９
2018125180.tif 000002
【特許請求の範囲】
【請求項１】
ハウジングと、複数の端子と、排出部材とを備えるコネクタであって、
前記ハウジングは、収容部と前端とを有しており、
前記収容部は、前後方向において、前記前端において開口しており、
前記収容部は、前記前後方向に沿って挿入される第１対象物を抜去可能に収容するものであり、
前記端子は、前記ハウジングに保持されており、
前記端子の各々は、接点を有しており、
前記接点は、前記収容部内に位置しており、
前記排出部材は、前記ハウジングの所定位置に保持されており、
前記排出部材は、前記前後方向に沿って前記所定位置から前方へ移動可能であり、
前記排出部材は、引掛け部を有しており、
前記排出部材が前記所定位置にあるとき、前記引掛け部は前記前後方向において前記収容部の後ろ側に位置しており、
前記排出部材は、前記第１対象物の通常の抜去操作には使用されないものであり、
前記収容部に前記第１対象物とは外形の異なる第２対象物が挿入された際に、前記排出部材を前記前後方向において前方へ移動させると、前記引掛け部が前記第２対象物を前方へ押し、前記第２対象物を前記収容部から排出する
コネクタ。
【請求項２】
請求項１に記載されたコネクタであって、
前記排出部材には、被抜け止め部が設けられており、
前記ハウジングには、抜け止め部が設けられており、
前記抜け止め部は、弾性変形可能であり、
前記排出部材が前記所定位置にあるとき、前記抜け止め部は、前記前後方向において、少なくとも部分的に前記被抜け止め部の前側に位置して前記被抜け止め部の前方への移動を規制し、それによって前記排出部材が前記ハウジングから抜け落ちることが防止される
コネクタ。
【請求項３】
請求項２に記載されたコネクタであって、
前記第１対象物には、被仮止め部が設けられており、
前記ハウジングには、前記抜け止め部とは別の仮止め部が設けられており、
前記仮止め部は、弾性変形可能であり、
前記第１対象物が前記収容部に収容されたとき、前記仮止め部は、前記前後方向において、少なくとも部分的に前記被仮止め部の前側に位置して前記被仮止め部の前方への移動を規制し、それによって前記第１対象物は仮止めされている
コネクタ。
【請求項４】
請求項２又は請求項３に記載されたコネクタであって、
前記被抜け止め部は、前記排出部材に形成された孔の縁部であり、
前記抜け止め部は、前記前後方向に対して傾きを持って後方へ延びる板ばねであり、
前記板ばねは、根元部と、先端部と、前記根元部と前記先端部との間に位置する曲げ部とを有しており、
前記排出部材が前記所定位置にあるとき、前記板ばねの前記根元部及び前記先端部は、前記孔の外側に位置しており、かつ前記板ばねの前記曲げ部は少なくとも部分的に前記孔の内側に位置している
コネクタ。
【請求項５】
請求項１から請求項４までのいずれか一つに記載されたコネクタであって、
前記排出部材は、主部と操作部とをさらに有しており、
前記主部は、前記引掛け部と前記操作部とを連結しており、
前記排出部材が前記所定位置にあるとき、前記操作部は、前記ハウジングの外側に位置している
コネクタ。
【請求項６】
請求項５に記載されたコネクタであって、
前記主部は、平板形状を有し、かつ前記前後方向において後端を有しており、
前記排出部材が前記所定位置にあるとき、前記前後方向と直交する上下方向において、前記主部は前記収容部の上側に位置しており、
前記引掛け部は、前記主部の前記後端から下方へ突出している
コネクタ。
【請求項７】
請求項６に記載されたコネクタであって、
前記主部は、前記前後方向及び前記上下方向の双方と直交する横方向において、両端を有しており、
前記排出部材は、前記主部の前記両端から夫々前記上下方向において下方へ延びる側壁部を有している
コネクタ。
【請求項８】
請求項５から請求項７までのいずれか一つに記載されたコネクタであって、
前記操作部は、平板形状を有しており、
前記操作部には、前記前後方向と直交する上下方向に貫通する孔が形成されている
コネクタ。
【請求項９】
請求項５から請求項８までのいずれか一つに記載されたコネクタであって、
前記排出部材は、一枚の金属板から構成されている
コネクタ。
【請求項１０】
請求項５から請求項９までのいずれか一つに記載されたコネクタであって、
前記ハウジングには、第１押し上げばね部と第２押し上げばね部とが設けられており、
前記第１押し上げばね部は、前記前後方向において、前記第２押し上げばね部から離れて、且つ前記第２押し上げばね部の後ろ側に位置しており、
前記第１押し上げばね部と前記第２押し上げばね部は、前記前後方向と直交する上下方向において、前記排出部材を上方へ押し上げて前記ハウジングに押し当てており、
前記主部は、前記収容部の上面を形成している
コネクタ。
【請求項１１】
請求項１０に記載されたコネクタであって、
前記排出部材は、前記上下方向において下方へ突出する突起部を有しており、
前記排出部材が前記所定位置にあるとき、前記突起部は前記第１押し上げばね部の上に位置しており、
前記排出部材が前記前後方向において前方へ移動すると、前記突起部が前記第２押し上げばね部に突き当たる
コネクタ。
【請求項１２】
請求項１１に記載されたコネクタであって、
前記第２押し上げばね部は、斜め上後方へ延びる板ばねである
コネクタ。
【請求項１３】
請求項１から請求項１２までのいずれか一つに記載されたコネクタであって、
前記前後方向と直交する上下方向において、前記収容部の下面から前記引掛け部までの寸法は、前記下面から前記端子の前記接点までの寸法よりも長い
コネクタ。
【請求項１４】
請求項１から請求項１３までのいずれか一つに記載されたコネクタであって、
前記前後方向と直交する上下方向において、前記収容部の下面から前記引掛け部までの寸法は、前記収容部に収容された前記第２対象物の寸法よりも短い
コネクタ。
【請求項１５】
請求項１から請求項１４までのいずれか一つに記載されたコネクタであって、
前記第１対象物は、トレイであり、
前記トレイには、カードが載せられる
コネクタ。
【発明の詳細な説明】
【技術分野】
【０００１】
本発明は、コネクタに関し、特にカード用コネクタに関する。
【背景技術】
【０００２】
カード用コネクタとして、カードをトレイに乗せて収容するコネクタがある。この種のコネクタは、例えば、特許文献１に開示されている。図３２を参照すると、開示されたカード用コネクタ８０は、トレイ８２をトレイ収容部８４に収容するように構成されている。図３３に示されるように、トレイ８２は、二つのカード収容部８６，８８を有している。このため、特許文献１のコネクタ８０は、二つのカードと接続可能である。
【０００３】
一方、特許文献２には、別のカード用コネクタが開示されている。開示されたコネクタ９０は、図３４に示されるように、イジェクト機構９２を備えている。イジェクト機構９２は、正規のＩＣカードよりも小さいＩＣカード９４が誤って挿入された場合でも、そのＩＣカード９４を排出できるように構成されている。
【先行技術文献】
【特許文献】
【０００４】
【特許文献２】特開２０１６−７６３７９号公報
【特許文献１】特開２００８−１４００３０号公報
【発明の概要】
【発明が解決しようとする課題】
【０００５】
例えば、特許文献１に開示されるカード用コネクタ８０において、誤ってトレイ収容部８４にカードが直接挿入される虞がある。このように収容部に対して、想定外の対象物が挿入されてしまったときに、その対象物を収容部から簡単に取り出したいとの要望がある。
【０００６】
本発明は、特許文献２とは異なるアプローチで、想定外の対象物が収容部に挿入された場合でも、特別な治具を用いることなく容易に収容部からその想定外の対象物を排出することができる排出機構を備えたコネクタを提供することを目的とする。
【課題を解決するための手段】
【０００７】
本発明は、第１のコネクタとして、ハウジングと、複数の端子と、排出部材とを備えるコネクタであって、
前記ハウジングは、収容部と前端とを有しており、
前記収容部は、前後方向において、前記前端において開口しており、
前記収容部は、前記前後方向に沿って挿入される第１対象物を抜去可能に収容するものであり、
前記端子は、前記ハウジングに保持されており、
前記端子の各々は、接点を有しており、
前記接点は、前記収容部内に位置しており、
前記排出部材は、前記ハウジングの所定位置に保持されており、
前記排出部材は、前記前後方向に沿って前記所定位置から前方へ移動可能であり、
前記排出部材は、引掛け部を有しており、
前記排出部材が前記所定位置にあるとき、前記引掛け部は前記前後方向において前記収容部の後ろ側に位置しており、
前記排出部材は、前記第１対象物の通常の抜去操作には使用されないものであり、
前記収容部に前記第１対象物とは外形の異なる第２対象物が挿入された際に、前記排出部材を前記前後方向において前方へ移動させると、前記引掛け部が前記第２対象物を前方へ押し、前記第２対象物を前記収容部から排出する
コネクタを提供する。
【０００８】
また、本発明は、第２のコネクタとして、第１のコネクタであって、
前記排出部材には、被抜け止め部が設けられており、
前記ハウジングには、抜け止め部が設けられており、
前記抜け止め部は、弾性変形可能であり、
前記排出部材が前記所定位置にあるとき、前記抜け止め部は、前記前後方向において、少なくとも部分的に前記被抜け止め部の前側に位置して前記被抜け止め部の前方への移動を規制し、それによって前記排出部材が前記ハウジングから抜け落ちることが防止される
コネクタを提供する。
【０００９】
また、本発明は、第３のコネクタとして、第２のコネクタであって、
前記第１対象物には、被仮止め部が設けられており、
前記ハウジングには、前記抜け止め部とは別の仮止め部が設けられており、
前記仮止め部は、弾性変形可能であり、
前記第１対象物が前記収容部に収容されたとき、前記仮止め部は、前記前後方向において、少なくとも部分的に前記被仮止め部の前側に位置して前記被仮止め部の前方への移動を規制し、それによって前記第１対象物は仮止めされている
コネクタを提供する。
【００１０】
また、本発明は、第４のコネクタとして、第２又は第３のコネクタであって、
前記被抜け止め部は、前記排出部材に形成された孔の縁部であり、
前記抜け止め部は、前記前後方向に対して傾きを持って後方へ延びる板ばねであり、
前記板ばねは、根元部と、先端部と、前記根元部と前記先端部との間に位置する曲げ部とを有しており、
前記排出部材が前記所定位置にあるとき、前記板ばねの前記根元部及び前記先端部は、前記孔の外側に位置しており、かつ前記板ばねの前記曲げ部は少なくとも部分的に前記孔の内側に位置している
コネクタを提供する。
【００１１】
また、本発明は、第５のコネクタとして、第１から第４までのコネクタのうちのいずれか一つであって、
前記排出部材は、主部と操作部とをさらに有しており、
前記主部は、前記引掛け部と前記操作部とを連結しており、
前記排出部材が前記所定位置にあるとき、前記操作部は、前記ハウジングの外側に位置している
コネクタを提供する。
【００１２】
また、本発明は、第６のコネクタとして、第５のコネクタであって、
前記主部は、平板形状を有し、かつ前記前後方向において後端を有しており、
前記排出部材が前記所定位置にあるとき、前記前後方向と直交する上下方向において、前記主部は前記収容部の上側に位置しており、
前記引掛け部は、前記主部の前記後端から下方へ突出している
コネクタを提供する。
【００１３】
また、本発明は、第７のコネクタとして、第６のコネクタであって、
前記主部は、前記前後方向及び前記上下方向の双方と直交する横方向において、両端を有しており、
前記排出部材は、前記主部の前記両端から夫々前記上下方向において下方へ延びる側壁部を有している
コネクタを提供する。
【００１４】
また、本発明は、第８のコネクタとして、第５から第７のコネクタのうちのいずれか一つであって、
前記操作部は、平板形状を有しており、
前記操作部には、前記前後方向と直交する上下方向に貫通する孔が形成されている
コネクタを提供する。
【００１５】
また、本発明は、第９のコネクタとして、第５から第８のコネクタのうちのいずれか一つであって、
前記排出部材は、一枚の金属板から構成されている
コネクタを提供する。
【００１６】
また、本発明は、第１０のコネクタとして、第５から第９までのコネクタのうちのいずれか一つであって、
前記ハウジングには、第１押し上げばね部と第２押し上げばね部とが設けられており、
前記第１押し上げばね部は、前記前後方向において、前記第２押し上げばね部から離れて、且つ前記第２押し上げばね部の後ろ側に位置しており、
前記第１押し上げばね部と前記第２押し上げばね部は、前記前後方向と直交する上下方向において、前記排出部材を上方へ押し上げて前記ハウジングに押し当てており、
前記主部は、前記収容部の上面を形成している
コネクタを提供する。
【００１７】
また、本発明は、第１１のコネクタとして、第１０のコネクタであって、
前記排出部材は、前記上下方向において下方へ突出する突起部を有しており、
前記排出部材が前記所定位置にあるとき、前記突起部は前記第１押し上げばね部の上に位置しており、
前記排出部材が前記前後方向において前方へ移動すると、前記突起部が前記第２押し上げばね部に突き当たる
コネクタを提供する。
【００１８】
また、本発明は、第１２のコネクタとして、第１１のコネクタであって、
前記第２押し上げばね部は、斜め上後方へ延びる板ばねである
コネクタを提供する。
【００１９】
また、本発明は、第１３のコネクタとして、第１から第１２のコネクタのうちのいずれか一つであって、
前記前後方向と直交する上下方向において、前記収容部の下面から前記引掛け部までの寸法は、前記下面から前記端子の前記接点までの寸法よりも長い
コネクタを提供する。
【００２０】
また、本発明は、第１４のコネクタとして、第１から第１３のコネクタのうちのいずれか一つであって、
前記前後方向と直交する上下方向において、前記収容部の下面から前記引掛け部までの寸法は、前記収容部に収容された前記第２対象物の寸法よりも短い
コネクタを提供する。
【００２１】
また、本発明は、第１５のコネクタとして、第１から第１４のコネクタのうちのいずれか一つであって、
前記第１対象物は、トレイであり、
前記トレイには、カードが載せられる
コネクタを提供する。
【発明の効果】
【００２２】
本発明のコネクタは、引掛け部を有する排出部材を備えているので、収容部に収容されるべき第１対象物とは外形の異なる第２対象物が収容部に挿入された際に、排出部材を前方へ移動させるだけで、容易に第２対象物を収容部から排出することができる。
【図面の簡単な説明】
【００２３】
【図１】本発明の一実施の形態によるコネクタを示す斜視図である。
【図２】図１のコネクタと第１対象物との組み合わせを示す斜視図である。第１対象物は、未だコネクタに挿入されていない。
【図３】図２のコネクタと第１対象物との組み合わせを示す別の斜視図である。第１対象物はコネクタに挿入されている。
【図４】図１のコネクタを示す分解斜視図である。
【図５】図４のコネクタに含まれるハウジングを示す分解斜視図である。
【図６】図５のハウジングに含まれる本体を示す平面図である。第１押し上げばね部の周辺及び仮止め部の周辺がそれぞれ拡大して示されている。
【図７】図６の本体を示す底面図である。
【図８】図６の本体を示す側面図である。第１押し上げ部及び仮止め部の周辺が拡大して示されている。
【図９】図６の本体を示す正面図である。側壁部の周辺が拡大して示されている。
【図１０】図５のハウジングに含まれるカバーを示す平面図である。抜け止め部の周辺が拡大して示されている。
【図１１】図１０のカバーを示す底面図である。抜け止め部の周辺及び第２押し上げばね部の周辺がそれぞれ拡大して示されている。
【図１２】図１０のカバーを示す側面図である。抜け止め部の周辺及び第２押し上げばね部の周辺がそれぞれ拡大して示されている。
【図１３】図１０のカバーを示す正面図である。側壁部の周辺が拡大して示されている。
【図１４】図４のコネクタに含まれる排出部材を示す平面図である。
【図１５】図１４の排出部材を示す底面図である。
【図１６】図１４の排出部材を示す側面図である。
【図１７】図１４の排出部材を示す正面図である。
【図１８】図１のコネクタを示す正面図である。
【図１９】図１８のコネクタを示すＡ−Ａ線断面図である。ストッパの周辺が拡大して示されている。
【図２０】図１８のコネクタを示すＢ−Ｂ線断面図である。第１押し上げばね部の周辺及び第２押し上げばね部の周辺がそれぞれ拡大して示されている。
【図２１】図１のコネクタを示す平面図である。排出部材は停止位置まで引き出されている。
【図２２】図２１のコネクタを示すＣ−Ｃ線断面図である。第２押し上げばね部の周辺が拡大して示されている。
【図２３】図２に示された第１対象物に含まれるトレイを示す平面図である。
【図２４】図２３のトレイを示す底面図である。
【図２５】図２３のトレイを示す側面図である。
【図２６】図２３のトレイを示す正面図である。
【図２７】図３のコネクタと第１対象物との組み合わせを示す側面図である。
【図２８】図２７のコネクタと第１対象物との組み合わせを示すＤ−Ｄ線断面図である。抜け止め部の周辺が拡大して示されている。
【図２９】図２７のコネクタと第１対象物との組み合わせを示すＥ−Ｅ線断面図である。仮止め部の周辺が拡大して示されている。
【図３０】図１のコネクタと第２対象物との組み合わせを示す斜視図である。第２対象物は、未だコネクタに挿入されていない。
【図３１】図１９のコネクタの一部を示す拡大断面図である。コネクタの収容部に挿入された第２対象物を破線で示している。
【図３２】特許文献１に記載されたコネクタとトレイを示す斜視図である。トレイは部分的にコネクタに挿入されている。
【図３３】図３２に示されるトレイを示す斜視図である。
【図３４】特許文献２に記載されたコネクタとカードを示す斜視図である。カードはコネクタに挿入されている。
【発明を実施するための形態】
【００２４】
図１を参照すると、本発明の一実施の形態によるコネクタ１０は、平たい略直方体形状を有するカード用コネクタである。コネクタ１０は、前後方向において前方に開口した収容部１２を有している。本実施の形態において、前後方向はＸ方向であり、−Ｘ方向が前方、＋Ｘ方向が後方である。
【００２５】
図２及び図３から理解されるように、コネクタ１０の収容部１２は、想定された対象物（第１対象物）を抜去可能に収容することができる。想定された対象物は、前後方向に沿って前方から後方へ向かってコネクタ１０の収容部１２に挿入され、収容部１２に部分的に収容される。ここで、想定された対象物とは、予め規格等によって定められた形状を有しており、正常に収容部１２へ挿入することができ、また正常に抜去することができるものを表す。本実施の形態において、想定された対象物はトレイ２０である。トレイ２０には、二つのカード２２，２４を載せることができる。本実施の形態において、カード２２，２４のいずれか一方又は両方を載せたトレイ２０もまた想定された対象物である。カード２２，２４を載せたトレイ２０が収容部１２に収容されると、コネクタ１０は、カード２２，２４と電気的に接続される。カード２２は、例えばメモリカード（ＳＤカード）であり、カード２４は例えばＳＩＭ（Subscriber Identity Module）カードである。但し、本発明はこれに限られず、カード２２，２４はともにメモリカードであってもよいし、ともにＳＩＭカードであってもよい。また、本実施の形態において、各カード２２，２４は、単体では想定外の対象物（第２対象物）である。ここで、想定外の対象物とは、想定された対象物とはその外形が異なるものであって、収容部１２に挿入可能なものを表す。
【００２６】
図４を参照すると、コネクタ１０は、ハウジング３０と、複数の端子４０と、排出部材５０とを備えている。図５を参照すると、ハウジング３０は、本体３２とカバー３４とからなる。図４及び図５に示されるように、端子４０は、ハウジング３０に保持されている。詳しくは、端子４０は、ハウジング３０の本体３２に保持されている。図１及び図４から理解されるように、排出部材５０は、前後方向において、前方から後方へ向かってハウジング３０の内部空間３６に挿入される。ハウジング３０の内部空間３６に挿入された排出部材５０は、本体３２とカバー３４とによって所定位置に保持される。
【００２７】
図６から図９を参照すると、ハウジング３０の本体３２は、金属板からなるフレーム３２２と、絶縁樹脂からなる端子保持部３２４とを有している。フレーム３２２は、一対の側壁部３２６と、それらを連結する底板部３２８とを有している。側壁部３２６は、底板部３２８の横方向の両端に位置し、上方へ延びている。本実施の形態において、横方向はＹ方向である。また、上下方向はＺ方向であり、＋Ｚ方向が上方、−Ｚ方向が下方である。図８に示されるように、側壁部３２６の形状は、前後方向に長い略矩形である。図６から図９に示されるように、端子保持部３２４は、フレーム３２２に固定され、かつ端子４０を保持している。端子４０は、夫々接点４２を有している。端子保持部３２４は、接点４２がコネクタ１０の収容部１２内に位置するように、端子４０を保持している。これにより、端子４０の接点４２は収容部１２内に位置する。そして、端子保持部３２４は、フレーム３２２と端子４０との間を絶縁するとともに端子４０同士の間を絶縁している。ハウジング３０の本体３２は、インサート成形により製造することができる。
【００２８】
図６から図９までの図から理解されるように、フレーム３２２の後端３３０の近傍かつ横方向両端の近傍には、一対の第１押し上げばね部３３２が設けられている。本実施の形態において、第１押し上げばね部３３２は、弾性変形可能な板ばねである。これら第１押し上げばね部３３２は、フレーム３２２を構成する金属板を切断加工及び曲げ加工して形成される。第１押し上げばね部３３２は、底板部３２８から斜め上後方へ向かって延び、さらに後方へ延びている。また、フレーム３２２には、第１押し上げばね部３３２よりも前方かつ横方向内側の位置に、一対の仮止め部３３４が設けられている。本実施の形態において、仮止め部３３４は弾性変形可能な板ばねである。図５を参照すると、仮止め部３３４は、後述するカバー３４の抜け止め部３５２とは別のものである。これら仮止め部３３４もまた、フレーム３２２を構成する金属板を切断加工及び曲げ加工して形成される。図５及び図６から理解されるように、これら仮止め部３３４は、底板部３２８から上方へ立ち上がり、後方へ向かって横方向内側へ延び、さらに、後方へ向かって横方向外側へ延びている。また、側壁部３２６には、横方向外側へ突出する複数の凸部３３６が設けられている。
【００２９】
図１０から図１３を参照すると、カバー３４は、主部３４２と、一対の側壁部３４４と、後壁部３４６とを有している。一対の側壁部３４４は、主部３４２の横方向両端に位置し、下方へ延びている。側壁部３４４の形状は、概ね前後方向に長い略矩形である。後壁部３４６は、主部３４２の後端から下方へ延びている。後壁部３４６は、横方向に長い形状を有している。図１０から図１３に示されるように、主部３４２には、後壁部３４６の近くに、ストッパ３４８が形成されている。ストッパ３４８は、後壁部３４６の前方に位置し、後壁部３４６から離れている。本実施の形態では、ストッパ３４８の数は二つであるが、一つでも三つ以上でもよい。側壁部３４４には、夫々、抜け止め部３５２が設けられている。抜け止め部３５２は、前後方向において、側壁部３４４の上端近傍かつ後端近傍に位置している。抜け止め部３５２は、前後方向に対して傾きを持って後方へ延びる板ばねである。詳しくは、抜け止め部３５２は、根元部３７２と、先端部３７４と、根元部３７２と先端部３７４との間に位置する曲げ部３７６とを有している。抜け止め部３５２は、根元部３７２から曲げ部３７６まで、斜め後ろかつ横方向内側へ延びている。また、抜け止め部３５２は、曲げ部３７６から先端部３７４まで、斜め後ろかつ横方向外側へ延びている。加えて、側壁部３４４には、一対の第２押し上げばね部３５４が設けられている。第２押し上げばね部３５４は、斜め上後方へ延びる板ばねである。本実施の形態において、第２押し上げばね部３５４は、側壁部３４４の下端から横方向内側へ突き出した後、斜め上後方へ延び、さらに後方へ延びている。また、側壁部３４４には、本体３２の凸部３３６に対応する複数の開口３５６が形成されている。カバー３４は、金属板を切断加工及び曲げ加工して製造される。
【００３０】
図４及び図５から理解されるように、本体３２とカバー３４とは互いに上下方向に組み合わされてハウジング３０を形成する。このとき、本体３２とカバー３４の少なくとも一方の弾性変形を利用して、本体３２の凸部３３６は、カバー３４の対応する開口３５６内に部分的に位置する。これによって、本体３２とカバー３４とが互いに固定される。ハウジング３０は、前後方向において前端３０２を有し、前端３０２において開口する内部空間３６を有している。内部空間３６は、収容部１２（図１参照）を含む空間である。換言すると、ハウジング３０は、収容部１２と前端３０２とを有しており、収容部１２は前端３０２において開口している。また、図２０から理解されるように、ハウジング３０において、本体３２に設けられた第１押し上げばね部３３２とカバー３４に設けられた第２押し上げばね部３５４とは、前後方向に離れている。詳しくは、第１押し上げばね部３３２は、前後方向において、第２押し上げばね部３５４の後ろ側に位置している。前後方向に沿って見たとき、第１押し上げばね部３３２と第２押し上げばね部３５４とは、上下方向において少なくとも部分的に重なっている。
【００３１】
図１４から図１７を参照すると、排出部材５０は、主部５０２と、操作部５０４と、一対の側壁部５０６と、一対の突起部５０８と、引掛け部５１０とを有している。主部５０２は、概ね矩形の平板形状を有している。主部５０２は、また、横方向において両端を有し、前後方向において後端５１２を有している。主部５０２は、その前部から延びる操作部５０４と、その後端５１２から延びる引掛け部５１０とを互いに連結している。操作部５０４は、角を丸めた矩形の平板形状を有している。操作部５０４は、横方向において排出部材５０の中央に位置し、主部５０２から前方へ延びている。操作部５０４は、主部５０２よりも上下方向において上方に位置している。これは、操作部５０４を主部３４２よりも上下方向において上方へ突出させることにより、操作部５０２の操作性を向上させるためである。また、操作部５０４を収容部１２の開口から遠ざけることにより、収容部１２へのトレイ２０の挿入を容易にするためでもある。また、操作部５０２は、主部３４２と平行に設けられている。これは、コネクタ１０の厚みの増大を抑えつつ前述の操作性を向上させるためである。操作部５０４は、上下方向に貫通する孔５２０を有している。孔５２０は必ずしも必要ではないが、孔５２０の存在は操作性を向上させる。また、孔５２０を形成する代わりに操作部５０４の形状を立体的にしてもよい。例えば、横方向に沿って見たときの操作部５０４の形状をＬ字状にしてもよい。しかしながら、孔５２０を設けた方が、上下方向におけるコネクタ１０の寸法に影響を与えないので好ましい。側壁部５０６は、主部５０２の横方向の両端からそれぞれ上下方向において下方へ延びている。側壁部５０６は、前後方向に長い形状を有している。突起部５０８は、側壁部５０６の後部から下方へ突出している。引掛け部５１０は、主部５０２の後端５１２から下方へ突出している。本実施の形態において、引掛け部５１０の数は二つである。各引掛け部５１０は、横方向に長い形状を有している。二つの引掛け部５１０は、横方向に並んでいる。横方向において、引掛け部５１０の合計の長さは長い方が望ましい。本実施の形態では、引掛け部５１０の数は二つであるが、一つでも三つ以上でもよい。引掛け部５１０の形状及び数は、ハウジング３０の構成に応じて設定可能である。図１４から図１６に示されるように、排出部材５０の後部において、主部５０２と側壁部５０６との境界部分には被抜け止め孔５１４が設けられている。被抜け止め孔５１４の縁の一部（縁部）が後述するように被抜け止め部５１６（図２８参照）として機能する。本実施の形態において、排出部材５０は、一枚の金属板を切断加工及び曲げ加工して製造される。
【００３２】
図１及び図４から理解されるように、排出部材５０は、ハウジング３０の内部空間３６に部分的に挿入される。図１８から理解されるように、横方向において、排出部材５０の寸法は、ハウジング３０の側壁部３２６間の寸法よりもわずかに小さい。これにより、排出部材５０は、横方向において、ハウジング３０に対して位置決めされる。また、図１９に示されるように、排出部材５０の引掛け部５１０がハウジング３０のカバー３４に形成されたストッパ３４８に突き当ることで、排出部材５０は、前後方向において、ハウジング３０に対して位置決めされる。さらに、図２０に示されるように、突起部５０８は第１押し上げばね部３３２の上に位置し、側壁部３２６は第２押し上げばね部３５４の上に部分的に位置している。このとき、第１押し上げばね部３３２は突起部５０８を上下方向において上方へ押し上げ、第２押し上げばね部３５４は側壁部５０６の一部を上下方向において上方へ押し上げる。これにより、排出部材５０は、カバー３４に押し当てられる。その結果、排出部材５０は、上下方向において、ハウジング３０に対して位置決めされる。こうして、排出部材５０は、ハウジング３０の内部空間３６（図４参照）において所定位置に位置する。図１に示されるように、排出部材５０が所定位置にあるとき、操作部５０４は、収容部１２の外側に位置している。また、図１８から図２０に示されるように、排出部材５０が所定位置にあるとき、主部５０２は、上下方向において収容部１２の上側に位置し、収容部１２の上面を形成する。図１８及び図１９に示されるように、端子４０の接点４２は、収容部１２内に位置しており、上下方向において排出部材５０から離れている。また、図１９に示されるように、排出部材５０が所定位置にあるとき、引掛け部５１０は前後方向において収容部１２の後ろ側に位置している。
【００３３】
図２８に示されるように、排出部材５０が所定位置しているとき、抜け止め部３５２が被抜け止め孔５１４内に少なくとも部分的に位置する。詳しくは、抜け止め部３５２の根元部３７２及び先端部３７４は、被抜け止め孔５１４の外側に位置しており、かつ曲げ部３７６は少なくとも部分的に被抜け止め孔５１４の内側に位置している。換言すると、抜け止め部３５２は、前後方向において、被抜け止め孔５１４の縁の一部である被抜け止め部５１６の前側に少なくとも部分的に位置する。排出部材５０を前後方向において前方へ移動させようとすると、被抜け止め部５１６が抜け止め部３５２に突き当る。換言すると、抜け止め部３５２は、被抜け止め部５１６の前方への移動を規制する。こうして、排出部材５０は、抜け止め部３５２によって前方への移動が規制される。これにより、排出部材５０は、所定位置に保持され、ハウジング３０から抜け落ちることが防止される。ここで、抜け止め部３５２は、弾性変形可能である。そのため、排出部材５０を所定の力以上の力で前方へ移動させれば、抜け止め部３５２が弾性変形し、排出部材５０は前方へ移動可能となる。即ち、排出部材５０は、抜け止め部３５２の規制に抗して、前後方向に沿って、所定位置から前方へ移動可能である。
【００３４】
図２１及び図２２を参照すると、排出部材５０は、停止位置に停止している。排出部材５０は、停止位置よりも前方へ移動できない。図２２に示されるように、排出部材５０を前後方向において前方へ移動させようとすると、突起部５０８が、第２押し上げばね部３５４に突き当たるからである。こうして、排出部材５０は、停止位置よりも前方へ移動することができない。排出部材５０をハウジング３０に挿入する際には、突起部５０８が第２押し上げばね部３５４を押し下げて第２押し上げばね部３５４を弾性変形させる。これにより、突起部５０８は第２押し上げばね部３５４を乗り越えて後方へ移動することができる。一旦、突起部５０８が第２押し上げばね部３５４よりも後方へ移動すると、第２押し上げばね部３５４が復元力により上昇するので、前述のように突起部５０８の前方への移動が規制される。こうして、排出部材５０は、前後方向に沿って、所定位置と停止位置との間で移動可能である。
【００３５】
図２３から図２６を参照すると、トレイ２０は、上下方向に沿って見た場合、略矩形の外形を有している。トレイ２０は、また、第１カード収容部２０２と第２カード収容部２０４とを有している。第１カード収容部２０２と第２カード収容部２０４の形状は、それぞれ収容するカードの形状に対応している。本実施の形態において、第１カード収容部２０２は、マイクロＳＤカード及びナノＳＩＭカードの双方に対応し、第２カード収容部２０４は、ナノＳＩＭカードに対応している。トレイ２０は、上下方向において上部２１０と下部２１２とを有しており、その形状の違いによって第１カード収容部２０２と第２カード収容部２０４に夫々カードを収容する。詳しくは、第１カード収容部２０２と第２カード収容部２０４は、上部２１０に形成されている。下部２１２は、第１カード収容部２０２及び第２カード収容部２０４の夫々の一部を上下方向において下方から覆っている。上下方向において下方から見ると、下部２１２はＵ字状の形状を有している。下部２１２は、横方向において上部２１０よりも小さい。また、下部２１２の側面には、横方向内側に凹む被仮止め凹部２０６が形成されている。被仮止め凹部２０６は、前後方向及び横方向の双方に対して傾きを有する後面２０８を有している。この後面２０８は、後述するように被仮止め部として機能する。このように、トレイ２０には、被仮止め部が設けられている。
【００３６】
図３及び図２７を参照すると、トレイ（第１対象物）２０は収容部１２（図２参照）に部分的に収容され、所定位置に位置している。図２９に示されるように、トレイ２０が所定位置に位置しているとき、仮止め部３３４が被仮止め凹部２０６内に少なくとも部分的に位置する。換言すると、仮止め部３３４は、少なくとも部分的に被仮止め凹部２０６の後面（被仮止め部）２０８の前側に位置する。これにより、仮止め部３３４は、トレイ２０の前方への移動を規制し、トレイ２０を仮止めする。仮止め部３３４は、弾性変形可能である。また、トレイ２０が所定位置にあるとき、仮止め部３３４の先端は被仮止め凹部２０６の外側かつ後方に位置している。そのため、所定の力以上の力でトレイ２０を前方へ移動させると、仮止め部３３４は弾性変形し、トレイ２０の移動を許容する。これにより、トレイ２０を収容部１２から抜去することができる。
【００３７】
図３０を参照すると、コネクタ１０の収容部１２には、トレイ２０とは外形の異なるカード２４が単体で挿入可能である。収容部１２の寸法は、カード２４全体を収容するのに十分な大きさを持っている。しかしながら、端子４０がカード２４の収容部１２内での自由な移動を制限する。具体的には、カード２４が収容部１２に挿入されると、端子４０の弾性変形による反発力によってカード２４は排出部材５０に押し付けられる。カード２４はトレイ２０よりも小さいので、カード２４全体が収容部１２内に入ってしまう。そうなると、通常の手で行う抜去操作では、カード２４を収容部１２の外へ排出することはできない。そのような場合に、操作部５０４を操作して排出部材５０を前後方向において前方へ移動させると、引掛け部５１０がカード２４を前方へ押し、カード２４を収容部１２の外へ排出することができる。このように、本実施の形態によれば、特別な治具を用いることなく、コネクタ１０の収容部１２に挿入されたカード２４を容易に排出することができる。カード２４以外の想定外の対象物（第２対象物）が収容部１２に挿入された場合にも、同様に排出部材５０を用いて第２対象物を収容部１２の外へ排出することができる。なお、排出部材５０は、トレイ２０の通常の抜去操作には使用されないが、非常の場合には、トレイ２０の排出にも使用することができる。
【００３８】
図３１を参照すると、上下方向において、引掛け部５１０の先端は、端子４０の接点４２よりも上方に位置している。換言すると、上下方向において、収容部１２の下面１２２から引掛け部５１０までの寸法Ｄ１は、収容部１２の下面１２２から端子４０の接点４２までの寸法Ｄ２よりも長い。これは、排出部材５０の前後方向の移動の際に、引掛け部５１０が端子４０に接触するのを避けるためである。また、上下方向において、収容部１２の下面１２２から引掛け部５１０までの寸法Ｄ１は、収容部１２に収容された第２対象物（カード２４）の寸法Ｄ３よりも短い。これにより、収容部１２に収容された第２対象物が収容部１２の下面１２２に接触した状態であっても、排出部材５０を前方へ移動させると、引掛け部５１０がその第２対象物に引っ掛かり、第２対象物を確実に排出することができる。
【００３９】
以上、本発明についていくつかの実施の形態を掲げて具体的に説明してきたが、本発明は、これらに限定されるものではなく、種々の変形、変更が可能である。例えば、本実施の形態では、第１対象物がトレイ２０であり、第２対象部がカード２２，２４であったが、第１対象部が特性の外形を持つカードであり、第２対象物が第１対象物とは異なる外形を持つカードであってもよい。また、上記実施の形態によるコネクタ１０は、トレイ２０の挿入及び抜去を手で行うよう構成されているが、本発明は、イジェクト機構を備えたコネクタにも適用可能である。イジェクト機構としては、特許文献２に記載されているようなプッシュプッシュ機構のほか、ピンを用いて操作するイジェクト機構等がある。
【符号の説明】
【００４０】
１０    コネクタ
１２    収容部
１２２  下面
２０    トレイ（第１対象物）
２０２    第１カード収容部
２０４    第２カード収容部
２０６    被仮止め凹部
２０８    後面（被仮止め部）
２１０    上部
２１２    下部
２２，２４    カード（第２対象物）
３０    ハウジング
３０２    前端
３２    本体
３２２    フレーム
３２４    端子保持部
３２６    側壁部
３２８    底板部
３３０    後端
３３２    第１押し上げばね部
３３４    仮止め部
３３６    凸部
３４    カバー
３４２    主部
３４４    側壁部
３４６    後壁部
３４８    ストッパ
３５２    抜け止め部
３５４    第２押し上げばね部
３５６    開口
３６    内部空間
３７２    根元部
３７４    先端部
３７６    曲げ部
４０    端子
４２    接点
５０    排出部材
５０２    主部
５０４    操作部
５０６    側壁部
５０８    突起部
５１０    引掛け部
５１２    後端
５１４    被抜け止め孔
５１６    被抜け止め部
５２０    孔
【図１】
2018125180.tif 000003
【図２】
2018125180.tif 000004
【図３】
2018125180.tif 000005
【図４】
2018125180.tif 000006
【図５】
2018125180.tif 000007
【図６】
2018125180.tif 000008
【図７】
2018125180.tif 000009
【図８】
2018125180.tif 000010
【図９】
2018125180.tif 000011
【図１０】
2018125180.tif 000012
【図１１】
2018125180.tif 000013
【図１２】
2018125180.tif 000014
【図１３】
2018125180.tif 000015
【図１４】
2018125180.tif 000016
【図１５】
2018125180.tif 000017
【図１６】
2018125180.tif 000018
【図１７】
2018125180.tif 000019
【図１８】
2018125180.tif 000020
【図１９】
2018125180.tif 000021
【図２０】
2018125180.tif 000022
【図２１】
2018125180.tif 000023
【図２２】
2018125180.tif 000024
【図２３】
2018125180.tif 000025
【図２４】
2018125180.tif 000026
【図２５】
2018125180.tif 000027
【図２６】
2018125180.tif 000028
【図２７】
2018125180.tif 000029
【図２８】
2018125180.tif 000030
【図２９】
2018125180.tif 000031
【図３０】
2018125180.tif 000032
【図３１】
2018125180.tif 000033
【図３２】
2018125180.tif 000034
【図３３】
2018125180.tif 000035
【図３４】
2018125180.tif 000036